(57)【要約】【課題】ユーザーのニーズに沿う形でコンテンツを要約再生する。【解決手段】本発明の要約再生装置１０は、コンテンツを要約再生する要約再生装置１０であって、該コンテンツの過去の要約再生回数、およびユーザーが該コンテンツを検索する際の手順から、該コンテンツを要約再生する際の要約再生モードを決定する要約再生モード判定部６と、要約再生モード判定部６によって決定された要約再生モードに従って、該コンテンツを要約再生する要約再生部７と、を備えている。【選択図】図１
2009302751.tif 000002
【特許請求の範囲】
【請求項１】
コンテンツを要約再生する要約再生装置であって、
上記コンテンツの過去の要約再生回数、およびユーザーが該コンテンツを検索する際の手順から、該コンテンツを要約再生する際の要約再生モードを決定する決定手段と、
上記決定手段によって決定された要約再生モードに従って、上記コンテンツを要約再生する要約再生手段と、を備えていることを特徴とする要約再生装置。
【請求項２】
上記決定手段は、上記要約再生回数および上記手順に加え、さらに上記コンテンツが属するカテゴリに基づいて、上記要約再生モードを決定することを特徴とする請求項１に記載の要約再生装置。
【請求項３】
上記決定手段は、上記要約再生回数、上記手順、および上記カテゴリに加え、さらに過去に上記コンテンツを要約再生した日時に基づいて、上記要約再生モードを決定することを特徴とする請求項１または２に記載の要約再生装置。
【請求項４】
上記要約再生手段は、上記コンテンツのシーン毎に該コンテンツにおける重み付けをし、上記重み付けに従って設定される該シーン毎の再生速度を、上記要約再生モードに応じて変速させることを特徴とする請求項１〜３のいずれか１項に記載の要約再生装置。
【請求項５】
コンテンツを要約再生する要約再生装置が実行する要約再生方法であって、
上記コンテンツの過去の要約再生回数、およびユーザーが該コンテンツを検索する際の手順から、該コンテンツを要約再生する際の要約再生モードを決定する決定工程と、
上記決定工程によって決定された要約再生モードに従って、上記コンテンツを要約再生する要約再生工程と、を含むことを特徴とする要約再生方法。
【請求項６】
請求項１〜４に記載の要約再生装置を動作させる要約再生プログラムであって、コンピュータを上記の各手段として機能させるための要約再生プログラム。
【請求項７】
請求項６に記載の要約再生プログラムを記録しているコンピュータ読み取り可能な記録媒体。
【発明の詳細な説明】
【技術分野】
【０００１】
本発明は、コンテンツを要約再生する要約再生装置、要約再生方法、要約再生プログラム、および記録媒体に関する。
【背景技術】
【０００２】
近年、テレビジョン放送による番組等、主に映像情報により構成されるコンテンツの配信は、アナログ放送から地上デジタル放送、ＣＳ（Ｃｏｍｍｕｎｉｃａｔｉｏｎ  Ｓａｔｅｌｉｔｅ）放送、またはＢＳ（Ｂｒｏａｄｃａｓｔｉｎｇ  Ｓａｔｅｌｉｔｅ）放送へと移行している。また、ブロードバンド回線の普及により、ネットワークを介したコンテンツの配信も普及し始めている。そのため、ユーザーは、様々なコンテンツを視聴することが可能となっている。
【０００３】
一方、例えば、ハードディスクドライブ等を用いた蓄積装置は大容量化が進んでいる。これにより、ユーザーはより多くのコンテンツを録画することが可能になるため、録画したコンテンツを好みの時間に視聴することができる。さらに、配信されるコンテンツの情報（メタデータ）を利用したサーバ型放送サービスでは、配信されるメタデータは全て蓄積装置を備える受信機に自動的に録画されている。これにより、ユーザーの視聴時間の自由度はより増すこととなる。
【０００４】
このような状況において、蓄積装置に蓄積されるコンテンツは膨大な量となる。これに対し、ユーザーが視聴できる時間は限られているうえに、これらコンテンツの中から視聴したい番組を選択することも容易ではない。そこで、蓄積されたコンテンツの記録内容を容易に確認するために、短時間においてコンテンツの内容を把握することができる、要約再生の技術が注目されている。
【０００５】
この要約再生には、コンテンツ内の情報から構成される要約再生データ（ダイジェストデータ）が用いられており、通常、コンテンツ内の或る特定の指標に基づいて作成されている。しかしながら、作成される要約再生データは、１つのコンテンツに対して一通りであるため、ユーザーが要約再生を視聴する場合には、コンテンツの過去の視聴回数に限らず、常に同じ要約再生を視聴することになる。そのため、初めて要約再生を視聴する場合には、クライマックスまで再生されてしまうこともあり、また、再度要約再生を視聴する場合には、同じ箇所が再生されることもある。したがって、要約再生によってはユーザーの視聴意欲を低下させてしまうという問題が生じることもある。
【０００６】
そこで、要約再生によるユーザーの視聴意欲の低下を回避するための技術が数多く考えられている。例えば、特許文献１には、過去にコンテンツを通常再生した際の、例えばシーン毎の通常再生回数を再生履歴として保存し、この再生履歴に基づいて要約再生する技術が開示されている。
【０００７】
また、特許文献２では、過去のコンテンツの通常再生回数に加えて、シーン毎の重要度を音声データから算出し、当該重要度および通常再生回数に基づいて要約再生する技術が開示されている。これらの技術により、ユーザーの視聴状況に応じた要約再生ができるとされている。なお、この他にも、例えば特許文献３から特許文献６に開示されているような、コンテンツのシーンを分割して、シーン毎に重要度を設けた様々な要約再生技術が知られている。
【特許文献１】特開２００４−３４９７７８号公報（平成１６年１２月９日公開）
【特許文献２】特開２００６−１３９８２９号公報（平成１８年６月１日公開）
【特許文献３】特開２００７−２８２２６８号公報（平成１９年１０月２５日公開）
【特許文献４】特開平８−２９８６４６号公報（平成８年１１月１２日公開）
【特許文献５】ＷＯ００／４００１１号公報（２０００年７月６日公開）
【特許文献６】特開２００５−２７７５３５号公報（平成１７年１０月６日公開）
【発明の開示】
【発明が解決しようとする課題】
【０００８】
しかしながら、上述した要約再生方法では、次のような問題点がある。つまり、特許文献１および２に記載の技術では、コンテンツを要約再生する際に、過去に視聴したコンテンツの通常再生回数は考慮しているものの、過去に視聴した要約再生については一切考慮されていない。したがって、視聴者が過去に要約再生したことがある場合でも、通常再生回数にはカウントされないため、同じ箇所が要約再生されてしまうことがある。
【０００９】
また、特許文献１および２に記載の技術では、ユーザーがコンテンツを要約再生する際に、どのような目的のために視聴するのかという点について考慮されていない。したがって、ユーザーのニーズに合わせた要約再生がなされないこともある。なお、特許文献３から特許文献６に記載の技術においても、このような問題を解決するために、過去の要約再生およびユーザーの視聴目的を考慮する要約再生方法は開示されていない。
【００１０】
本発明は、上記の問題点に鑑みてなされたものであり、その目的は、ユーザーのニーズに沿う形でコンテンツを要約再生する要約再生装置、要約再生方法、要約再生プログラム、および記録媒体を提供することにある。
【課題を解決するための手段】
【００１１】
本発明に係る要約再生装置は、上記の課題を解決するために、コンテンツを要約再生する要約再生装置であって、上記コンテンツの過去の要約再生回数、およびユーザーが該コンテンツを検索する際の手順から、該コンテンツを要約再生する際の要約再生モードを決定する決定手段と、上記決定手段によって決定された要約再生モードに従って、上記コンテンツを要約再生する要約再生手段と、を備えていることを特徴としている。
【００１２】
上記の構成によれば、要約再生装置は、コンテンツの過去の要約再生回数、およびユーザーが該コンテンツを検索する際の手順から、該コンテンツを要約する際の要約再生モードを決定する。要約再生モードは、例えば、予告、あらすじ、あらすじ補完、およびハイライト等である。
【００１３】
要約再生装置は、決定された要約再生モードに従って、要約再生手段によってコンテンツを要約再生する。すなわち、ここでいう要約再生モードとは、例えば、コンテンツにおける各シーンの重み付けを算出し、該重み付けに従ってシーン毎の再生速度を設定したものである。この要約再生モードに従ってコンテンツを要約再生することにより、ユーザーは任意の要約再生を視聴することができる。
【００１４】
また、要約再生装置においてコンテンツを要約する際に用いる要約再生モードは、コンテンツの過去の要約再生回数、およびユーザーが該コンテンツを検索する際の手順から決定される。したがって、視聴したいコンテンツを過去に要約再生したことがあったとしても、同じ内容の要約再生が実行されることがない。すなわちユーザーは、視聴したいコンテンツを再度視聴することがないために、視聴意欲が削がれることなく、コンテンツを要約再生することができる。また、上記手順を考慮して要約再生モードが決定されるために、よりユーザーの視聴状況に即したコンテンツの要約再生ができる。
【００１５】
また、本発明に係る要約再生方法は、上記の課題を解決するために、コンテンツを要約再生する要約再生装置が実行する要約再生方法であって、上記コンテンツの過去の要約再生回数、およびユーザーが該コンテンツを検索する際の手順から、該コンテンツを要約再生する際の要約再生モードを決定する決定工程と、上記決定工程によって決定された要約再生モードに従って、上記コンテンツを要約再生する要約再生工程と、を含むことを特徴としている。
【００１６】
上記の構成によれば、上述した要約再生装置と同様の作用、効果を奏する。
【００１７】
また、本発明に係る要約再生装置では、さらに、上記決定手段は、上記要約再生回数および上記手順に加え、さらに上記コンテンツが属するカテゴリに基づいて、上記要約再生モードを決定することが好ましい。
【００１８】
上記の構成によれば、コンテンツを要約再生する際の要約再生モードは、要約再生回数およびユーザーが該コンテンツを検索する際の手順から決定される。このとき、上述した要素に加え、さらに上記コンテンツが属するカテゴリに基づいて要約再生モードが決定される。
【００１９】
具体的には、表示画面等に表示されるカテゴリの一覧から検索した、過去の要約再生回数が１回であるコンテンツの要約再生モードを決定するとき、例えば、コンテンツが属するカテゴリがドラマである場合には、該要約再生モードはあらすじ補完モードが選択される。このとき、該カテゴリが例えばスポーツである場合には、要約再生モードはハイライトが選択される。
【００２０】
このように、ユーザーが視聴するコンテンツのカテゴリによって要約再生モードが変更されるため、ユーザーがより視聴を望むような要約再生をすることができる。
【００２１】
また、本発明に係る要約再生装置では、さらに、上記決定手段は、上記要約再生回数、上記手順、および上記カテゴリに加え、さらに過去に上記コンテンツを要約再生した日時に基づいて、上記要約再生モードを決定することが好ましい。
【００２２】
上記の構成によれば、コンテンツを要約再生する際の要約再生モードは、上述した要素（要約再生回数、手順、およびカテゴリ）に加え、さらに過去に上記コンテンツを要約再生した日時に基づいて決定される。
【００２３】
例えば、ユーザーが過去に視聴したことのあるコンテンツの要約再生する際に、かなりの日数が経過している場合には、ユーザーは該コンテンツの内容を忘れていることがある。したがって、要約再生モードを決定する要素に、過去にコンテンツを要約再生した日時をさらに加えることにより、ユーザーが該コンテンツの内容を忘れていたとしても、内容を確認することができるような要約再生をすることができる。
【００２４】
また、本発明に係る要約再生装置では、上記要約再生手段は、上記コンテンツのシーン毎に該コンテンツにおける重み付けをし、上記重み付けに従って設定される該シーン毎の再生速度を、上記要約再生モードに応じて変速させることが好ましい。
【００２５】
上記の構成によれば、要約再生装置は、コンテンツのシーン毎に算出された重み付けに従って再生速度を設定する。このとき、例えば、決定される要約再生モードが同じであるコンテンツであっても、コンテンツの内容によっては同様の要約再生をすることが好ましくない場合もある。したがって、視聴するコンテンツのシーンに付与する重み付けによって、コンテンツの再生速度を設定し、さらにこの再生速度を要約再生モードに応じて変速させることによって、より多様な要約再生をすることができる。
【００２６】
なお、上記要約再生装置は、コンピュータによって実現してもよい。この場合、コンピュータを上記各手段として動作させることにより上記要約再生装置をコンピュータにおいて実現する要約再生プログラム、およびその要約再生プログラムを記録したコンピュータ読み取り可能な記録媒体も、本発明の範疇に入る。
【発明の効果】
【００２７】
本発明に係る要約再生装置は、以上のように、コンテンツを要約再生する要約再生装置であって、上記コンテンツの過去の要約再生回数、およびユーザーが該コンテンツを検索する際の手順から、該コンテンツを要約再生する際の要約再生モードを決定する決定手段と、上記決定手段によって決定された要約再生モードに従って、上記コンテンツを要約再生する要約再生手段と、を備えているので、ユーザーのニーズに沿う形でコンテンツを要約再生することができるという効果を奏する。
【発明を実施するための最良の形態】
【００２８】
本発明の一実施形態について、図１〜図１３を参照して以下に説明する。
【００２９】
〔要約再生装置１０の構成〕
まず、本実施形態に係る要約再生装置１０の要部構成について図１を参照して以下に説明する。図１は、本発明の一実施形態に係る要約再生装置１０の要部構成を示すブロック図である。この図に示すように、要約再生装置１０は、コンテンツデータ入力部１、シーン重要度算出部２、蓄積部３、要約再生履歴管理部４、視聴状況取得部５、要約再生モード判定部（決定手段）６、要約再生部（要約再生手段）７、および制御部８を備えている。
【００３０】
要約再生装置１０は、蓄積部３に蓄積されたコンテンツデータを処理して、該コンテンツを要約再生する装置である。具体的には、過去の要約再生回数および過去に要約再生した要約再生情報に基づいて、コンテンツを要約再生する。
【００３１】
〔要約再生装置１０の処理〕
次に、要約再生装置１０がコンテンツを要約再生する際の処理の一例について、以下に詳細に説明する。
【００３２】
（要約再生前の処理）
本実施形態の要約再生装置１０では、ユーザーによる要約再生指示を受けつける前に、以下の準備がなされていればよい。
【００３３】
本実施形態では、例えば図示しないコンテンツ配信サーバが通信ネットワーク等を介して、複数のコンテンツを要約再生装置１０に配信する。コンテンツは、特に限定されず、例えば、放送番組等により放送されているコンテンツ、またはネットワークを経由して得られるコンテンツが例示できるが、ＤＶＤ等に代表される記録メディアに蓄積されたコンテンツであってもよい。要約再生装置１０では、配信されるコンテンツのデータをコンテンツデータ入力部１が受信する。
【００３４】
コンテンツデータ入力部１は、配信されるコンテンツデータの入力を受けつける。入力されるコンテンツに含まれる情報は、特に限定されるものではなく、例えば、映像情報、音声情報、および字幕情報が挙げられる。また、当該コンテンツには、例えば、コンテンツの付加情報がさらに含まれていてもよい。
【００３５】
この付加情報としては、例えば、コンテンツの入力日時またはコンテンツ名等の情報が例示できる。また、放送番組等のコンテンツに付加情報が付随されている場合には、当該付加情報として、例えば、ＥＰＧ（Ｅｌｅｃｔｒｏｎｉｃ  Ｐｒｏｇｒａｍ  Ｇｕｉｄｅ）から得られる出演者あるいは番組内容等の番組情報が挙げられる。
【００３６】
また、これらコンテンツは、後述するシーン重要度算出部２において、コンテンツに含まれる各シーンの重要度を抽出することができる限り、特に限定されるものではなく、例えば、符号化されていればよい。なお、本明細書において「シーン」とは、コンテンツを一定の区間毎に細分化した単位を表わしており、「シーンの重要度」とは、各シーンを或る規定された判定基準に従って重み付けした度合いを示す。このように、コンテンツデータが入力されたコンテンツデータ入力部１は、当該データをシーン重要度算出部２および蓄積部３に出力する。
【００３７】
シーン重要度算出部２は、コンテンツデータおよびコンテンツの付加情報データを解析してコンテンツの特徴を検出し、コンテンツに含まれる各シーンの重要度を算出する。
【００３８】
本実施形態においてコンテンツの特徴とは、例えば、ドラマ、スポーツ等のカテゴリが含まれているがこれに限定されない。この特徴は、特に限定されないが、例えば、次のような情報から得ることができる。すなわち、映像情報からは、例えば、シーンの切り替え情報、エッジ情報、および動きベクトル情報が得られ、音声情報からは、例えば、音声レベル、無音区間、および発話情報が得られ、さらに字幕情報からは、例えば、テロップ情報が得られる。また、付加情報の特徴は、特に限定されないが、上述したＥＰＧから得られる番組名、出演者、番組内容情報、コンテンツ製作者によるシーン区切り等のメタデータ、およびコンテンツデータ入力部１へのコンテンツデータ入力時に取得することができる録画日時等がある。なお、シーン重要度の具体的な算出方法については、後で詳細に説明する。このように算出された各シーンの重要度は、蓄積部３に出力される。
【００３９】
蓄積部３は、入力されたコンテンツデータ、およびシーン重要度算出部２において算出されたシーンの重要度等を格納する。具体的には、入力されたコンテンツデータおよびコンテンツの付加情報を、シーン重要度算出部２において検出されたコンテンツの特徴情報および算出されたシーンの重要度と関連づけて記録する。
【００４０】
（要約再生処理）
次に、本実施形態に係る要約再生装置１０による要約再生処理の一例について、図２を参照して以下に詳細に説明する。図２は、本実施形態に係る要約再生装置１０が要約再生する際の処理の流れを示すフローチャートである。なお、本実施形態において、要約再生装置１０の蓄積部３に要約再生対象であるコンテンツが記録されている態様を示す。
【００４１】
また、本発明の要約再生方法は、コンテンツを要約再生する要約再生装置１０が実行する要約再生方法であって、該コンテンツの過去の要約再生回数、およびユーザーが該コンテンツを検索する際の手順から、該コンテンツを要約再生する際の要約再生モードを決定する決定工程と、上記決定工程によって決定された要約再生モードに従って、該コンテンツを要約再生する要約再生工程と、を含めばよい。
【００４２】
本実施形態では、例えば図示しないシステムの制御部によって出される、蓄積部３に格納されたコンテンツの要約再生指示を、制御部８が受領する（ステップＳ１）。制御部８は、要約生成装置１０における各データの流れを制御する。
【００４３】
制御部８は、システムの制御部から要約再生指示を受領すると共に、視聴状況取得部５が取得したユーザーの視聴状況を受信する（ステップＳ２）。視聴状況取得部５が取得する視聴状況は、後で詳細に説明するが、例えば図３に示すような４パターンが挙げられる。図３は、本実施形態に係るユーザーの視聴状況パターンを例示する。また、制御部８は、要約再生履歴管理部４から、要約再生履歴情報を取得する（ステップＳ３）。
【００４４】
要約再生履歴管理部４は、蓄積部３に格納された各コンテンツの要約再生情報の履歴を管理する。要約再生情報に含まれる情報は、特に限定されないが、コンテンツを過去に視聴した通常再生回数および要約再生回数、ならびにユーザーがコンテンツの要約再生を指示した際の視聴状況が含まれていることが好ましい。これらの要約再生情報は、例えば、図５（ａ）に示す、要約再生履歴管理部４に管理される要約再生情報管理テーブルに記載されている。このテーブルに記載される複数のコンテンツのうち、図５（ｂ）に示す要約再生履歴情報管理テーブルには、各コンテンツの要約再生情報の履歴が示されている。図５（ａ）は、本実施形態において用いる要約再生情報管理テーブルを示し、図５（ｂ）は、本実施形態において用いる要約再生履歴情報管理テーブルを示す。
【００４５】
さらに、制御部８は、蓄積部３から要約再生対象のコンテンツに付属する付加情報を取得する（ステップＳ４）。コンテンツの付加情報は、特に限定されるものではないが、少なくともコンテンツが属するカテゴリ情報を含んでいることがより好ましい。コンテンツのカテゴリとしては、特に限定されないが、例えば、ドラマ、スポーツ、およびニュース等が挙げられる。このように、ユーザーの視聴状況、要約再生情報、およびコンテンツの付加情報を取得した制御部８は、これらの情報を要約再生モード判定部６に対して送信する。
【００４６】
要約再生モード判定部（決定手段）６は、ユーザーが選択したコンテンツを要約再生する際に、どの要約再生モードによって再生するのかを選択する（決定工程）。言い換えれば、要約再生モード判定部６は、コンテンツの過去の要約再生回数、およびユーザーが該コンテンツを検索する際の手順から、該コンテンツを要約再生する際の要約再生モードを決定する。なお、本明細書において「ユーザーがコンテンツを検索する際の手順」とは、視聴状況取得部５が取得するユーザーの視聴状況と同義である。すなわち要約再生モード判定部６は、あるコンテンツを要約再生する際のモードを決定する際に、ユーザーが該コンテンツを視聴するまでに至る状況（手順）を示す情報を用いる。
【００４７】
要約再生モード判定部６が要約再生モードを選択する際の判定基準は、特に限定されるものではなく、例えば上述した、過去の要約再生回数、ユーザーの視聴状況、およびコンテンツが属するカテゴリ情報等から判定することができる。要約再生モード判定部６では、このような判定基準に基づいて、例えば図６に示す要約再生モードから、要約再生対象のコンテンツに該当する要約再生モードを決定する（ステップＳ５）。図６は、要約再生装置１０において用いられる要約再生モードを示しており、本実施形態では、要約再生モードとして、予告、あらすじ、あらすじ補完、およびハイライトの４種類を想定している。要約再生モード判定部６では、上述した判定基準から要約再生モードを判定するために、図７および図８に示すようなモード判定テーブルを有している。図７は、コンテンツのカテゴリがドラマであるモード判定テーブルを示しており、図８は、コンテンツのカテゴリがスポーツであるモード判定テーブルを示す。
【００４８】
このように、要約再生モード判定部６において決定された要約再生モードの情報は、要約再生モード判定部６から制御部８に出力される。さらに、制御部８は、受領した要約再生モードの情報を要約再生部７に送信する。このとき、制御部８は、要約再生モードの情報を送信すると共に、要約再生を実行するように要約再生部７に指示を与える。
【００４９】
要約再生部（要約再生手段）７は、判定された要約再生モードに従って要約再生する（要約再生工程）。言い換えれば、要約再生モード判定部６によって決定された要約再生モードに従って、該コンテンツを要約再生する。
【００５０】
制御部８によって要約再生を実行するように指示された要約再生部７は、要約再生対象のコンテンツデータおよびコンテンツに含まれる各シーンの重要度を蓄積部３から取得する（ステップＳ６）。さらに、要約再生部７は、要約再生モードに対応した要約再生対象のコンテンツの要約再生速度を制御部８から取得する（ステップＳ７）。
【００５１】
このとき、本実施形態において、要約再生する際の各シーンにおける再生速度は、要約再生速度対応情報に基づいて決定される。要約再生速度対応情報とは、図１０に示すように、コンテンツにおける各シーンの重要度と、要約再生モードとの対応によって再生速度が設定されていればよい。図１０は、各シーンの重要度と要約再生モードとの対応によって設定される要約再生速度対応情報を示す。
【００５２】
この要約再生速度対応情報が管理される場所は、特に限定されず、例えば、要約再生部７に管理されていればよいし、蓄積部３に格納されていてもよい。要約再生速度対応情報が蓄積部３に格納されている場合には、要約再生部７が必要に応じて蓄積部３から、当該情報を読み出せばよい。また、本実施形態では、要約再生速度対応情報は、すべての要約再生モードをまとめて管理しているが、例えば、当該再生モード毎の情報として管理してもよい。
【００５３】
さらに、本実施形態において、要約再生速度対応情報における要約再生速度の値は固定値を設定しているが、例えば、装置あるいはアプリケーションによって要約再生する時間が定められていてもよい。または、視聴状況等により要約再生時間を変化させることができる場合には、当該要約再生時間に収まるように各シーンの重要度に対する再生速度を決定すればよい。このように、要約再生を開始する前に各シーンの要約再生速度を決定することによって、コンテンツ全体の要約再生時間を算出することが可能であり、各シーンの重要度に対する再生速度を変化させて要約再生時間を満たすように設定することができる。
【００５４】
その後、要約再生部７は、要約再生対象のコンテンツの各シーンを、取得した再生速度の情報に従って再生する（ステップＳ８）。すなわち、要約再生装置１０は、コンテンツのシーン毎に該コンテンツにおける重み付けをし、この重み付けに従って設定される該シーン毎の再生速度を、要約再生モードに応じて変速させることによって、要約再生を実現する。
【００５５】
このように、要約再生部７によって再生されるコンテンツは、例えば、図示しない表示装置等の表示画面に出力される。これにより、ユーザーは選択したコンテンツの要約再生を視聴することができる。このとき、当該コンテンツは、上述した要約再生速度対応情報に基づいて再生されることとなり、再生されるコンテンツは、例えば図１２（ａ）および図１２（ｂ）に示す各シーンの再生速度により再生される。図１２（ａ）は、要約再生対象のコンテンツにおける各シーンの構造を示す。また、図１２（ｂ）には、図１２（ａ）における各シーンの再生開始位置（秒）を示す。
【００５６】
ここで、制御部８は、要約再生部７に要約再生の実行を指示した後、要約再生履歴管理部４に要約再生情報の更新を指示する。これにより、要約再生履歴管理部４において管理される要約再生情報管理テーブルおよび要約再生履歴情報管理テーブルは、図１３（ａ）および図１３（ｂ）に示すように要約再生情報が更新される（ステップＳ９）。図１３（ａ）は、要約再生履歴管理部４に管理される要約再生情報管理テーブルが更新された状態を示し、図１３（ｂ）は要約再生履歴管理部４において管理される要約再生履歴情報管理テーブルが更新された状態を示す。
【００５７】
〔シーン重要度の算出方法〕
ここで、本実施形態に係るシーン重要度の算出方法の一例について、以下、詳細に説明する。
【００５８】
上述したように、シーン重要度とは、各シーンを或る特定の判定基準に従って重み付けしたものであり、その具体的な算出方法は、特に限定されるものではなく、従来公知の方法により算出すればよい。
【００５９】
そのような方法には、例えば、各シーンの音声レベルに基づいてシーンの重要度を算出する方法がある。具体的には、コンテンツにおけるシーンの切り替え情報または動きベクトル情報等からコンテンツを細分化して各シーンの区分を抽出し、抽出した各シーンの音声レベルに基づいて各シーンの重要度を算出する。
【００６０】
このように、各シーンの特徴を検出し、当該シーンの重要度をレベル分けすることができるのであれば、その算出方法は問わない。また、本実施形態では、図１０に示すように、シーン重要度は１〜５までの区分を設けて、この数字が大きくなるに従って、コンテンツにおけるシーンの重要度が高いことを示しているが、これに限定されるものではない。
【００６１】
〔視聴状況の一例〕
次に、視聴状況取得部５によって取得されるユーザーの視聴状況について、図４（ａ）〜図４（ｃ）を参照して説明する。図４（ａ）〜図４（ｃ）は、本実施形態に係るユーザーの視聴状況を示す図である。
【００６２】
本明細書において、視聴状況とは、例えば図示しない表示装置におけるメニュー画面等の表示画面から、ユーザーがコンテンツにアクセスする状況を指す。ユーザーがコンテンツへアクセスする状況は、特に限定されないが、例えば、次のような状況を想定することができる。
【００６３】
すなわち、例えば、蓄積部３に蓄積されたコンテンツの中から特定のコンテンツを検索している状況、表示画面に単純に一覧表示される中から無作為に選択して視聴する状況、または、蓄積されたコンテンツの整理（例えば、消去等）あるいは編集するためにコンテンツの内容を確認する状況等が挙げられる。なお、特に限定されないが、ＤＶＤレコーダ、ＤＶＤ・ＨＤＤレコーダ、または記録再生装置では、ユーザーがコンテンツへアクセスするために、例えば各機能の固有のメニュー画面を複数有していることがある。この場合には、ユーザーがどのメニュー画面からコンテンツへアクセスを試みているのかを把握することにより、ユーザーの視聴状況を取得することができる。
【００６４】
ここで、本実施形態に係る視聴状況取得部５において取得される視聴状況として、例えば、図３に示す４つの状況、すなわち、一覧表示（３１）、動画サムネイル（３２）、検索（３３）、および編集・整理（３４）を例示する。これら４つの状況を表示画面に表示した例を図４（ａ）〜図４（ｃ）に示す。
【００６５】
一覧表示（３１）は、ユーザーが視聴を希望するコンテンツを表示画面に表示される一覧表示から検索する状況を示す。図４（ａ）に示すように、表示画面にはコンテンツの一覧が表示されている。ユーザーは、例えばリモコン等の表示装置に対応する操作装置によって、視聴を希望するコンテンツにカーソル４１等を合わせて選択すればよい。
【００６６】
動画サムネイル（３２）では、上述した一覧表示と同様に、ユーザーが表示画面に表示される一覧表示から検索する状況を示すものであるが、ここでは、図４（ａ）に示すカーソル４１等のフォーカスが当てられたサムネイル、あるいは表示される全てのサムネイルが静止画ではなく、動画により表示されている。
【００６７】
検索（３３）は、ユーザーが蓄積部３に蓄積されたコンテンツから、特定のコンテンツを検索する状況を示す。例えば、蓄積部３に大量のコンテンツが格納されている場合、一覧表示から目的のコンテンツを検索するのは容易な作業ではない。したがって、図４（ｂ）に示すように、コンテンツに関連するキーワード（例えば、グルメ等）、またはコンテンツが録画された日付等から、ユーザーが視聴を希望するコンテンツを検索して視聴することができる。
【００６８】
編集・整理（３４）は、ユーザーが蓄積部３に蓄積されたコンテンツの中から、編集あるいは消去する状況を示す。すなわち、図４（ｃ）に示すように、表示装置における消去選択画面では、コンテンツが動画によって表示されており、これら動画の中から当該動画を任意に選択して消去する。このとき、選択したコンテンツが消去しても差支えがないのかを確認するために、当該コンテンツを要約再生することによって、内容を確認することができる。
【００６９】
このように、視聴状況取得部５では、ユーザーがコンテンツを要約再生する際に、当該コンテンツを選択するためにアクセスする方法を表示画面等から取得することによって、ユーザーの視聴状況を判断することができる。
【００７０】
〔要約再生履歴管理部４の機構〕
次に、本実施形態に係る要約再生管理部４において、各コンテンツの要約再生情報を管理する方法について、以下、詳細に説明する。
【００７１】
要約再生管理部４では、特に限定されないが、例えば、各コンテンツについて、通常再生した回数、要約再生した回数、過去に要約再生されたときに用いられた要約再生モード、および過去に要約再生された際の視聴状況が管理されていればよい。図５には、これら各データを管理するために用いられる、要約再生情報管理テーブル（図５（ａ））および要約再生履歴情報管理テーブル（図５（ｂ））を示す。
【００７２】
要約再生情報管理テーブルは、要約再生装置１０に少なくとも１つ用意されていればよい。このテーブルでは、特に限定されないが、例えば、蓄積部３に蓄積されているコンテンツ名、および当該コンテンツの要約再生回数、最終要約再生日、ならびに通常再生回数が記述されていることが好ましい。具体的には、図５（ａ）に示すように、コンテンツｃｏｎｔｅｎｔｓ−００１は、要約再生回数が２回、最終要約再生日時が２００８年３月５日、通常再生回数が０回である。
【００７３】
また、当該テーブルには、例えば、要約再生履歴情報識別子が記述されていればよい。この要約再生履歴情報識別子は、各コンテンツの要約再生情報を格納するテーブルを識別するために用いられており、図５（ａ）のコンテンツ（ｃｏｎｔｅｎｔｓ−００１）では、Ｄ−ＲＩＲＥＫＩ−００１として示す。
【００７４】
また、要約再生情報管理テーブルでは、新たに要約再生される毎に要約再生回数が加算され、最終要約再生日時を上書きすることができる。このとき、最終要約再生日時の取得方法は特に限定されず、例えば、制御部８が日時情報を管理することができる場合には、制御部８から当該日時情報を取得すればよいし、ネットワーク等から直接取得してもよい。
【００７５】
要約再生履歴情報管理テーブルは、蓄積部３に蓄積されたコンテンツ毎に用意されており、各コンテンツの要約再生の履歴情報を管理する。要約再生履歴情報管理テーブルでは、特に限定されないが、例えば、要約再生履歴情報識別子が付与されており、コンテンツの要約再生履歴数、各履歴における要約再生モード、視聴状況、および視聴日時を管理することができる。
【００７６】
具体的には、図５（ｂ）に示すように、コンテンツ（ｃｏｎｔｅｎｔｓ−００１）に対応する要約再生情報（要約再生履歴情報識別子（Ｄ−ＲＩＲＥＫＩ−００１））は、要約再生の履歴が２つ存在する。すなわち、履歴１は２００８年２月２９日に視聴されており、その際の要約再生モードは予告であり、視聴状況は動画サムネイルである。また、履歴２は２００８年３月４日に視聴されており、その際の要約再生モードはあらすじであり、視聴状況は一覧表示である。このコンテンツ（ｃｏｎｔｅｎｔｓ−００１）がさらに要約再生された場合には、要約再生情報がさらに更新される。図１３には、要約再生情報が更新された要約再生情報管理テーブル（図１３（ａ））および要約再生履歴情報管理テーブル（図１３（ｂ））を示す。
【００７７】
図１３（ａ）に示すように、新たにコンテンツ（ｃｏｎｔｅｎｔｓ−００１）の要約再生が行なわれると、要約再生情報管理テーブルの要約再生回数が加算され、最終要約再生日時が更新される。さらに、要約再生情報管理テーブルに記載される要約再生履歴情報識別子（Ｄ−ＲＩＲＥＫＩ−００１）から、コンテンツ（ｃｏｎｔｅｎｔｓ−００１）の要約再生履歴情報管理テーブルが特定され、当該要約再生履歴情報管理テーブル要約再生回数が更新される。このとき、図１３（ｂ）に示すように、要約再生履歴として、要約再生モード（あらすじ補完）、視聴状況（一覧表示）、および要約再生日時（２００８年３月５日）が追加される。
【００７８】
なお、本実施形態において、要約再生情報管理テーブルと要約再生履歴情報管理テーブルとは、要約再生履歴情報識別子によって相互に参照することができる。
【００７９】
〔要約再生モードの判定〕
次に、本実施形態に係る要約再生モードの判定について、図７および図８を参照して詳細に説明する。図７および図８は、本実施形態に係る要約再生モードを判定するための判定テーブルを示す。
【００８０】
本明細書において要約再生モードの判定とは、要約再生モード判定部６が要約再生対象のコンテンツにおける各シーンの重要度に対応して、再生速度を決定することである。具体的には、要約再生対象のコンテンツにおける、ユーザーの視聴状況、過去の要約再生回数、および当該コンテンツの特徴から、要約再生モード判定部６がこれらに対応する要約再生モードを判定する。
【００８１】
要約再生モードは、特に限定されないが、例えば上述した、予告、あらすじ、あらすじ補完、およびハイライト等であればよい。本実施形態において用いた４種類の要約再生モードは、以下の内容を表わす。
【００８２】
すなわち、予告モードとは、例えば、映画の予告編のように、最も盛り上がるシーンを除いて番組の内容を伝えることができるように編集されたモードである。また、あらすじモードとは、例えば、ドラマ等の盛り上がるシーンだけを中心に視聴することができるモードであり、あらすじ補完モードとは、あらすじモードを補完するモードである。また、ハイライトモードとは、例えば、スポーツ番組等の盛り上がったシーンを中心に視聴することができるモードである。
【００８３】
ところで、ユーザーが蓄積部３に格納されたコンテンツを要約再生する際に、コンテンツの要約再生情報によって、ユーザーが求める要約再生データは異なると想定することができる。例えば、ユーザーが蓄積部３に格納された未視聴のコンテンツの内容を確認するために要約再生する場合には、当該コンテンツのあらすじを含んでいないことが好ましい。また、ユーザーが過去に要約再生したコンテンツを再び視聴する場合には、ユーザーはコンテンツの概要を把握していることが多い。そのため、再度コンテンツの要約再生をする場合には、ユーザーが未視聴のシーンを中心に再生することが好ましい。
【００８４】
したがって、要約再生モードを判定する場合に、例えば、図７または図８に示すようなモード判定テーブルによって、コンテンツの過去の要約再生回数および要約再生指示をしたときのユーザーの視聴状況を考慮して要約再生モード決定すればよい。
【００８５】
具体的には、ユーザーが、カテゴリがドラマであるコンテンツｃｏｎｔｅｎｔｓ−００３を検索画面から内容を確認する状況において、ｃｏｎｔｅｎｔｓ−００３の要約再生情報が図９の状態である場合は、要約再生モードを次のように選択することができる。
【００８６】
まず、視聴状況取得部５により視聴状況が「検索」であることが取得され、要約再生管理部４において管理される図９に示す要約再生情報から、要約再生回数が１回であることが取得される。これにより、要約再生対象であるコンテンツのカテゴリはドラマであるため、図７のモード判定テーブルから、あらすじの要約再生モードが取得される。
【００８７】
これにより、ユーザーはコンテンツにおける盛り上がるシーンを視聴することがなく、過去に視聴したシーンを再び視聴することがないため、コンテンツ本編（通常再生）を視聴する際の興味が減衰されることを防ぐことできる。
【００８８】
ところで、本実施形態に係るモード判定テーブルにおいても、上述した要約再生履歴情報管理テーブルと同様に、ユーザーの視聴状況および過去のコンテンツの要約再生回数が記載されている。したがって、要約再生が指示された際に、当該モード判定テーブルによって要約再生モードを判定することが可能である。このとき、例えば、要約再生対象のコンテンツの要約再生回数が、対応するモード判定テーブルにおいて設定されている要約再生回数を上回る場合がある。この場合には、最も近い回数に対応する要約再生モードを利用すればよいし、常に特定のモードが選択されるように設定してもよい。
【００８９】
また、本実施形態では、要約再生モードを判定する際に、コンテンツのカテゴリ毎に要約再生モードを判定するための判定テーブルを用意しているが、これに限定されず、例えば、当該判定テーブルは要約再生装置１０に１つのみ用意されていてもよい。また、カテゴリではなく、コンテンツの付属情報から得られる他の情報（例えば、録画日時等）毎に判定テーブルを用意してもよい。例えば、録画日時毎に判定テーブルを用意する場合には、一定の録画期間が過ぎたコンテンツに対して、要約再生モードを変更すればよい。
【００９０】
なお、本実施形態に係る要約再生モードの判定は、要約再生回数と視聴状況から決定しているが、当該要約再生モードの判定に、要約再生した日時情報をさらに加えてもよい。
【００９１】
例えば、ユーザーが過去に視聴したことのあるコンテンツを再度視聴する際に、前回視聴した日からかなりの日数が経過している場合には、前回視聴した内容を忘れていることがある。そのため、例えば、前回視聴した際の要約再生モードがあらすじモードであった場合には、再度視聴する際には、あらすじ補完モードのように一度視聴していることを前提として要約再生されることがある。このとき、ユーザーが過去の視聴内容を忘れている場合には、内容が十分に理解できないことがある。
【００９２】
したがって、過去に要約再生した日時を要約再生モードの判定に加えることによって、過去の視聴内容を忘れている場合であっても、ユーザーはコンテンツの内容を理解することができる。
【００９３】
要約再生日時を判定に加える方法には、例えば、要約再生履歴管理部４が要約再生モードを判定する際に、経過日数によって、要約再生回数を減らして判定することによって、過去に視聴した要約再生と同じな内容の要約再生をする方法がある。または、要約再生履歴管理部４に管理される要約再生回数を強制的に初期化することによって、新規のコンテンツと同じ扱いにする方法等が考えられる。
【００９４】
〔要約再生機構〕
次に、要約再生モード判定部６によって選択された要約再生モード、および蓄積部３に蓄積されているコンテンツの特徴情報に基づいて、要約再生部７が要約再生をする流れについて説明する。
【００９５】
本実施形態に係る要約再生は、コンテンツの各シーンに付与された重要度に基づいて、各シーンの再生速度を決定することにより実現され得る。すなわち、図１２（ａ）において示すコンテンツを、図１２（ｂ）において示す各シーンの重要度に基づいて、各シーンの再生速度を決定する。この決定された再生速度に従って各シーンを再生することによって、例えば、重要度の低いシーンは５倍速で再生され、重要度の高いシーンは１倍速で再生される。このように再生することによって、ユーザーは重要度の高いシーン（１倍速での再生）はしっかりと視聴することが可能であり、また、重要度の低いシーンは視聴せずに、コンテンツの内容を知ることが可能である。
【００９６】
このとき、各シーンにおける重要度と要約再生速度との対応関係を示したものが要約再生速度対応情報であり、図１０には、コンテンツの各シーンにおける重要度と要約再生速度との要約再生速度対応情報テーブルを示す。本実施形態に係る要約再生速度対応情報は、上述したように、要約再生部７によって管理されていればよいし、本要約再生速度対応情報は蓄積部３に格納し、要約再生部７が蓄積部３から読み出すようにしてもよい。また、図１０において要約再生速度対応情報は、一群の情報として記載しているが、再生モード毎の情報として管理することもできる。
【００９７】
上述したように、要約再生速度対応情報は、コンテンツにおける各シーンに付与された重要度と再生速度とを対応づけるものである。本実施形態では、図１０に示すように、４種類の要約再生モード（あらすじモード、あらすじ補完モード、予告モード、ハイライトモード）に対応する要約再生速度対応情報を示している。ここでは、各モードと重要度の対応関係から、要約再生する際の速度を設定している。
【００９８】
ここで、各シーンの速度を決定する具体的な方法には、図７に示す、コンテンツのカテゴリがドラマであるモード判定テーブルを用いて以下に説明する。
【００９９】
図７のモード判定テーブルに記載される要約再生モードのうち、例えば、要約再生モード判定部６によって決定された要約再生モードがあらすじモードである場合、図１０の要約再生速度対応情報を参照すると、重要度１では４倍速、重要度２および重要度３では３倍速、重要度４では２倍速、ならびに重要度５では１．３倍速が設定されている。一方、上述した要約再生モードが予告モードである場合には、重要度１では２倍速、重要度２では１．５倍速、重要度３では１倍速、重要度４では４倍速、および重要度５では５倍速が設定されている。これらの設定に基づいて各シーンの速度に対応させたものを、図１１に示す。図１１は、本実施形態に係る要約再生モードが予告モードであった場合の、各シーンの重要度に対応する速度情報を取得した結果を示す。
【０１００】
この図に示すように、例えば、ユーザーが予告モードを視聴する場合には、重要度４または重要度５という、コンテンツにおいて比較的重要なシーンの再生速度を、重要度の低いシーンより速く設定している。したがって、ユーザーは、重要度２または重要度３といった重要度の低いシーンを中心に視聴することになるため、要約再生をした場合であっても、コンテンツの視聴に対するユーザーの興味を削ぐことは少ない。
【０１０１】
同様に、例えば、ユーザーがあらすじモードを視聴する場合は、重要度４または重要度５という、比較的重要なシーンを中心に視聴することができる設定である。また、あらすじ補完モードでは、過去にあらすじモードによって視聴したことを前提としている。このため、重要なシーンよりも、その過程に至るようなシーン（重要度３）を視聴することができる設定である。このように、本実施形態では、各要約再生モードによってシーンの重要度に対する要約再生速度を変化させているため、要約再生モード毎に要約再生内容を変えることができる。
【０１０２】
次に、取得された各シーン速度情報に基づいて、要約再生対象となるコンテンツを要約再生する。例えば、コンテンツのカテゴリがスポーツであり、要約再生モードが予告モードである場合の各シーンの再生速度を図１２（ａ）に示す。図１２（ａ）は、要約再生対象のコンテンツにおける各シーンの構造を示す。また、図１２（ｂ）には、図１２（ａ）における各シーンの再生開始位置（秒）を示す。
【０１０３】
これらの図を参照すると、当該コンテンツはシーンＡ〜シーンＦに細分化されており、図１１に示す速度対応表から、シーンＡの重要度は２、シーンＢの重要度は１、シーンＣの重要度は５、シーンＤの重要度は３、シーンＥの重要度は４、シーンＦの重要度は３であることが分かる。これにより、各シーンの速度が決定され、当該速度に応じて要約再生される。
【０１０４】
〔まとめ〕
以上のように、要約再生装置１０は、コンテンツの要約再生をする際に、当該コンテンツの過去の要約再生回数と、要約再生指示がなされた時点の視聴状況を考慮して要約再生モードを決定する。したがって、例えば、同じコンテンツを複数回視聴する場合であっても、前回視聴したときとは異なる要約再生がなされるため、ユーザーはコンテンツの未視聴部分を視聴することができる。さらに、視聴状況によって異なる要約再生がなされるために、コンテンツの内容確認が容易になり、ユーザーの利便性を高めることができる。
【０１０５】
なお、本発明は上述した実施形態に限定されるものではなく、請求項に示した範囲で種々の変更が可能である。すなわち、請求項に示した範囲で適宜変更した技術的手段を組み合わせて得られる実施形態についても、本発明の技術的範囲に含まれる。
【０１０６】
〔コンテンツ再生プログラムおよび記録媒体〕
最後に、要約再生装置１０に含まれている各ブロックは、ハードウェアロジックによって構成すればよい。または、次のように、ＣＰＵ（Ｃｅｎｔｒａｌ  Ｐｒｏｃｅｓｓｉｎｇ  Ｕｎｉｔ）を用いてソフトウェアによって実現してもよい。
【０１０７】
すなわち要約再生装置１０は、各機能を実現する制御プログラムの命令を実行するＣＰＵ、この制御プログラムを格納したＲＯＭ（Ｒｅａｄ  Ｏｎｌｙ  Ｍｅｍｏｒｙ）、上記制御プログラムを実行可能な形式に展開するＲＡＭ（Ｒａｎｄｏｍ  Ａｃｃｅｓｓ  Ｍｅｍｏｒｙ）、および、上記制御プログラムおよび各種データを格納するメモリ等の記憶装置（記録媒体）を備えている。
【０１０８】
この構成により、本発明の目的は、所定の記録媒体によっても達成できる。この記録媒体は、上述した機能を実現するソフトウェアである要約再生装置１０の制御プログラムのプログラムコード（実行形式プログラム、中間コードプログラム、ソースプログラム）をコンピュータで読み取り可能に記録していればよい。要約再生装置１０にこの記録媒体を供給する。これにより、コンピュータとしての要約再生装置１０（またはＣＰＵやＭＰＵ）が、供給された記録媒体に記録されているプログラムコードを読み出し、実行すればよい。
【０１０９】
プログラムコードを要約再生装置１０に供給する記録媒体は、特定の構造または種類のものに限定されない。すなわちこの記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【０１１０】
また要約再生装置１０は、通信ネットワークと接続可能に構成しても、本発明の目的を達成できる。この場合、上記のプログラムコードを、通信ネットワークを介して要約再生装置１０に供給する。この通信ネットワークは、要約再生装置１０にプログラムコードを供給できるものであればよく、特定の種類または形態に限定されない。たとえば、インターネット、イントラネット、エキストラネット、ＬＡＮ、ＩＳＤＮ、ＶＡＮ、ＣＡＴＶ通信網、仮想専用網（Ｖｉｒｔｕａｌ  Ｐｒｉｖａｔｅ  Ｎｅｔｗｏｒｋ）、電話回線網、移動体通信網、衛星通信網等であればよい。
【０１１１】
この通信ネットワークを構成する伝送媒体も、プログラムコードを伝送可能な任意の媒体であればよく、特定の構成または種類のものに限定されない。たとえば、ＩＥＥＥ１３９４、ＵＳＢ（Ｕｎｉｖｅｒｓａｌ  Ｓｅｒｉａｌ  Ｂｕｓ）、電力線搬送、ケーブルＴＶ回線、電話線、ＡＤＳＬ（Ａｓｙｍｍｅｔｒｉｃ  Ｄｉｇｉｔａｌ  Ｓｕｂｓｃｒｉｂｅｒ  Ｌｉｎｅ）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１１２】
本発明は、例えば、ＤＶＤレコーダまたはＨＤＤレコーダ等の記録再生装置に記録されるコンテンツを要約再生する、ユーザーの視聴状況に対応可能な要約再生装置として、幅広く利用できる。
【図面の簡単な説明】
【０１１３】
【図１】本発明の一実施形態に係る要約再生装置の要部構成を示すブロック図である。
【図２】本発明の一実施形態に係る要約再生装置が要約再生する際の処理の流れを示すフローチャートである。
【図３】視聴状況取得部によって取得されるユーザーの視聴状況の一例を示す。
【図４】（ａ）〜（ｃ）は、視聴状況取得部が視聴状況を取得する画面情報を示す。
【図５】（ａ）は、要約再生管理部において管理される要約再生情報管理テーブルを示しており、（ｂ）は、要約再生管理部において管理される要約再生履歴情報管理テーブルを示す。
【図６】要約再生モード判定部によって判定される要約再生モードの一例を示す。
【図７】要約再生モードを判定するモード判定テーブルを示す。
【図８】要約再生モードを判定するモード判定テーブルを示す。
【図９】本発明の一実施形態において要約再生する際に用いる要約再生情報を示す。
【図１０】コンテンツのシーン毎の重要度と要約再生モードとの対応によって設定される要約再生速度対応情報を示す。
【図１１】本実施形態に係る要約再生モードが予告モードであった場合の、各シーンの重要度に対応する速度情報を取得した結果を示す。
【図１２】（ａ）は、要約再生対象のコンテンツにおける各シーンの構造を示しており、（ｂ）は、（ａ）における各シーンの再生開始位置（秒）を示す。
【図１３】（ａ）は、要約再生管理部において管理される要約再生情報管理テーブルが更新された状態を示しており、（ｂ）は、要約再生管理部において管理される要約再生履歴情報管理テーブルが更新された状態を示す。
【符号の説明】
【０１１４】
１    コンテンツデータ入力部
２    シーン重要度算出部
３    蓄積部
４    要約再生履歴管理部
５    視聴状況取得部
６    要約再生モード判定部（決定手段）
７    要約再生部（要約再生手段）
８    制御部
１０  要約再生装置
【図１】
2009302751.tif 000003
【図２】
2009302751.tif 000004
【図３】
2009302751.tif 000005
【図４】
2009302751.tif 000006
【図５】
2009302751.tif 000007
【図６】
2009302751.tif 000008
【図７】
2009302751.tif 000009
【図８】
2009302751.tif 000010
【図９】
2009302751.tif 000011
【図１０】
2009302751.tif 000012
【図１１】
2009302751.tif 000013
【図１２】
2009302751.tif 000014
【図１３】
2009302751.tif 000015